(57)【要約】一対のレンズからなる光学系と、光学系の瞳の位置に互いに対向して配された一対の反射面を有し、印加電圧に応じて前記一対の反射面の間隔を変化させ、間隔に応じた波長の光を選択的に透過する波長選択部と、各々が光学系及び波長選択部を通過した光を集光するｎ個（ｎは自然数）のレンズを有するレンズアレイと、波長選択部と共役な位置に設けられ、ｎ個のレンズにより集光された光を受光するｎ個の分割撮像領域を有する撮像素子と、を有する。
2018143340.tif 000002
【特許請求の範囲】
【請求項１】
一対のレンズからなる光学系と、
前記光学系の瞳の位置に互いに対向して配された一対の反射面を有し、印加電圧に応じて前記一対の反射面の間隔を変化させ、前記間隔に応じた波長の光を選択的に透過する波長選択部と、
各々が前記光学系及び前記波長選択部を通過した光を集光するｎ個（ｎは自然数）のレンズを有するレンズアレイと、
前記波長選択部と共役な位置に設けられ、前記ｎ個のレンズにより集光された光を受光するｎ個の分割撮像領域を有する撮像素子と、
を有することを特徴とする分光カメラ。
【請求項２】
前記撮像素子が撮像した画像に基づいて前記波長選択部の透過波長の不均一性を検出する検出部を有することを特徴とする請求項１に記載の分光カメラ。
【請求項３】
前記検出部は、前記画像の画素毎の輝度値に基づいて前記波長選択部の透過波長の不均一性を検出することを特徴とする請求項２に記載の分光カメラ。
【請求項４】
前記検出部により検出された前記波長選択部の透過波長の不均一性に応じて前記画像に画像補正を行う画像処理部を有することを特徴とする請求項２又は３に記載の分光カメラ。
【請求項５】
前記画像処理部は、前記撮像素子の前記ｎ個の分割撮像領域のうちの少なくとも１つにおいて前記波長選択部の前記一対の反射面の間隔が均一な部分を通過した光を受光した画素の輝度値と前記一対の反射面の間隔が不均一な部分を通過した光を受光した画素の輝度値とに基づいて、前記画像補正を行うことを特徴とする請求項４に記載の分光カメラ。
【請求項６】
前記光学系の光路上に少なくとも１つのバンドパスフィルタを有し、
前記検出部は、前記ｎ個の分割撮像領域のうち前記バンドパスフィルタを通過した光を受光した分割撮像領域により撮像された画像に基づいて、前記波長選択部の透過波長の不均一性を検出することを特徴とする請求項２乃至５のいずれか１に記載の分光カメラ。
【請求項７】
前記バンドパスフィルタは、前記レンズアレイの前記ｎ個のレンズのいずれかが集光する光の光路上に設けられていることを特徴とする請求項６に記載の分光カメラ。
【請求項８】
透過波長が異なる複数の前記バンドパスフィルタを有し、
前記複数の前記バンドパスフィルタの各々は、前記レンズアレイの前記ｎ個のレンズのうち異なるレンズが集光する光路上に夫々設けられていることを特徴とする請求項６に記載の分光カメラ。
【請求項９】
前記波長選択部の透過波長の不均一性に関する情報を記憶する記憶部と、
前記記憶部に記憶されている前記不均一性に関する情報に基づいて、前記撮像素子が撮像した画像に画像補正を行う画像処理部と、
を有することを特徴とする請求項１に記載の分光カメラ。
【請求項１０】
請求項１に記載の分光カメラによる撮像方法であって、
所定波長の光を前記光学系に入射するステップと、
前記印加電圧を変化させつつ前記所定波長の光を前記撮像素子に受光させるステップと、
前記撮像素子の前記ｎ個の分割撮像領域における画素毎の輝度分布の情報に基づいて、前記波長選択部の透過波長の不均一性の情報を得るステップと、
被写体を撮像して撮像画像を得るステップと、
前記透過波長の不均一性の情報に基づいて、前記撮像画像に画像補正を行うステップと、
を有することを特徴とする撮像方法。
【請求項１１】
請求項１に記載の分光カメラにおいて、コンピュータに、
所定波長の光を前記光学系に入射するステップと、
前記印加電圧を変化させつつ前記所定波長の光を前記撮像素子に受光させるステップと、
前記撮像素子の前記ｎ個の分割撮像領域における画素毎の輝度分布の情報に基づいて、前記波長選択部の透過波長の不均一性の情報を得るステップと、
被写体を撮像して撮像画像を得るステップと、
前記透過波長の不均一性の情報に基づいて、前記撮像画像に画像補正を行うステップと、
を実行させることを特徴とするプログラム。
【請求項１２】
請求項１１に記載のプログラムを記録することを特徴とする記録媒体。
【発明の詳細な説明】
【技術分野】
【０００１】
本発明は、分光カメラ、撮像方法、プログラム及び記録媒体に関する。
【背景技術】
【０００２】
複数の分光情報を同時に取得し、取得した分光情報に基づいて画像を生成することが可能な分光カメラとして、プレノプティックカメラが用いられている。プレノプティックカメラにおいて、分光スペクトルを測定するため、メインレンズの絞り位置付近に分光透過率が異なる複数のバンドパスフィルタを配置した測定装置が提案されている（例えば、特許文献１）。
【先行技術文献】
【特許文献】
【０００３】
【特許文献１】特開２０１５−１３２５９４号公報
【発明の概要】
【発明が解決しようとする課題】
【０００４】
上記した従来技術では、有限個の固定されたバンドパスフィルタによりマルチスペクトル画像を取得するため、連続的なスペクトルを取得することができないという問題があった。【０００５】
また、一対の反射面の間隔を連続的に変化させることで、この反射面を透過する光の波長を連続的に変化させる技術は古くから知られている。この技術には反射面間の平行度や面精度が悪いと透過波長の半値幅が悪化するという問題がある。【０００６】
本発明が解決しようとする課題としては、一対の反射面の間隔を変化させることで透過波長の選択を行う分光カメラにおいて、製造上のばらつきなどに起因した波長選択性の悪化という問題が一例として挙げられる。
【課題を解決するための手段】
【０００７】
請求項１に記載の発明は、一対のレンズからなる光学系と、前記光学系の瞳の位置に互いに対向して配された一対の反射面を有し、印加電圧に応じて前記一対の反射面の間隔を変化させ、前記間隔に応じた波長の光を選択的に透過する波長選択部と、各々が前記光学系及び前記波長選択部を通過した光を集光するｎ個（ｎは自然数）のレンズを有するレンズアレイと、前記波長選択部と共役な位置に設けられ、前記ｎ個のレンズにより集光された光を受光するｎ個の分割撮像領域を有する撮像素子と、を有することを特徴とする。【０００８】
請求項１０に記載の発明は、請求項１に記載の分光カメラによる撮像方法であって、所定波長の光を前記光学系に入射するステップと、前記印加電圧を変化させつつ前記所定波長の光を前記撮像素子に受光させるステップと、前記撮像素子の前記ｎ個の分割撮像領域における画素毎の輝度分布の情報に基づいて、前記波長選択部の透過波長の不均一性の情報を得るステップと、被写体を撮像して撮像画像を得るステップと、前記透過波長の不均一性の情報に基づいて、前記撮像画像に画像補正を行うステップと、を有することを特徴とする。【０００９】
請求項１１に記載の発明は、請求項１に記載の分光カメラにおいて、コンピュータに、所定波長の光を前記光学系に入射するステップと、前記印加電圧を変化させつつ前記所定波長の光を前記撮像素子に受光させるステップと、前記撮像素子の前記ｎ個の分割撮像領域における画素毎の輝度分布の情報に基づいて、前記波長選択部の透過波長の不均一性の情報を得るステップと、被写体を撮像して撮像画像を得るステップと、前記透過波長の不均一性の情報に基づいて、前記撮像画像に画像補正を行うステップと、を実行させることを特徴とする。
【図面の簡単な説明】
【００１０】
【図１】実施例１の分光カメラ１０の構成を示す図である。
【図２】物体点からの光がイメージセンサ１３で受光される様子を模式的に示す図である。
【図３】光学系１１の瞳ＥＹＥ上の一点からの光がイメージセンサ１３で受光される様子を模式的に示す図である。
【図４】瞳に物理的な開口部を配置した場合の例を示す図である。
【図５】画素領域の選択により瞳に物理的な開口部を配置したのと同様の画像が得られることを模式的に示す図である。
【図６】透過光の強度及び半値幅について、反射面間のギャップがほぼ均一である場合と端部付近においてギャップが不均一である場合とを比較して示す図である。
【図７】フィルタの直前に開口絞りを配置する場合の例を示す図である。
【図８】事前撮影の処理動作を示すフローチャートである。
【図９】事前撮影において単一波長の光を照射する場合の例を模式的に示す図である。
【図１０】事前撮影において光学系１１の手前の位置にバンドパスフィルタを装着して照明光を照射する場合の例を模式的に示す図である。
【図１１】事前撮影において波長選択フィルタＦＦの手前の位置にバンドパスフィルタを装着して照明光を照射する場合の例を模式的に示す図である。
【図１２】実撮影の処理動作を示すフローチャートである。
【図１３】実施例２の分光カメラ２０の構成を示す図である。
【図１４】透過波長の同じバンドパスフィルタを複数設けた構成の例を示す断面図である。
【図１５】透過波長が異なるバンドパスフィルタを複数設けた構成の例を示す断面図である。
【図１６】半値幅が異なるバンドパスフィルタを複数設けた構成の例を示す断面図である。
【図１７】波長選択フィルタにごみが付着していた場合における撮影の様子を模式的に示す図である。
【発明を実施するための形態】
【００１１】
以下、本発明の実施例について、図面を参照して説明する。なお、以下の各実施例における説明及び添付図面においては、実質的に同一又は等価な部分には同一の参照符号を付している。
【実施例１】
【００１２】
図１は、実施例１に係る分光カメラ１０の構成を示す断面図である。分光カメラ１０は、例えば物体Ｘ（被写体）に光を照射し、物体Ｘから反射された光又は物体Ｘを透過した光を受光することによって撮像を行う。分光カメラ１０は、光学系１１と、マイクロレンズアレイ１２及びイメージセンサ１３からなるカメラ１４と、画像処理部１５と、を含む。マイクロレンズアレイ１２は、物体Ｘと共役な位置に配置されている。また、イメージセンサ１３は、光学系１１の瞳と共役な位置に配置されている。【００１３】
光学系１１は、例えば凸レンズからなる第１のレンズＬ１及び第２のレンズＬ２を含む。第１のレンズＬ１及び第２のレンズＬ２の間にある光学系１１の瞳の位置には、波長選択フィルタＦＦが配置されている。光学系１１は、物体Ｘの位置に応じて距離の調整が可能な機構（ピント合わせの機構）を有し、物体Ｘとマイクロレンズアレイ１２との共役関係とを維持するように調整される。【００１４】
第１のレンズＬ１は物体Ｘからの光が入射する側（以下、入射側と称する）に配置され、第２のレンズＬ２はマイクロレンズアレイ１２に光を出射する側（以下、出射側と称する）に配置されている。物体Ｘからの光は第１のレンズＬ１、波長選択フィルタＦＦ及び第２のレンズＬ２を通ってマイクロレンズアレイ１２に集光する。【００１５】
波長選択フィルタＦＦは、例えばファブリペロー型干渉フィルタから構成されている。波長選択フィルタＦＦは、対向して配置された反射膜ＲＦ１及びＲＦ２からなり、反射膜間の間隔に応じた波長の光を透過する。波長選択フィルタＦＦは、電圧Ｖの印加を受け、反射膜ＲＦ１及びＲＦ２の対抗する面同士の間隔ｄ（以下、反射面間のギャップｄと称する）を変化させることにより、透過する光の波長を選択的に設定することが可能に構成されている。【００１６】
なお、波長選択フィルタＦＦにおける反射面間のギャップｄは、均一な間隔となるように形成されているのが理想的であるが、製造時や組み立て時におけるばらつきにより、実際には不均一な部分（以下、反射面間のギャップｄの不均一性と称する）が存在する。本実施例の分光カメラ１０は、かかる反射面間のギャップｄの不均一性に応じて撮像画像を補正する機能を有する。【００１７】
マイクロレンズアレイ１２は、縦横に配列されたｎ個（ｎは自然数）のマイクロレンズから構成されている。物体Ｘ上の異なる点からの光は、夫々異なるマイクロレンズに入射する。マイクロレンズの各々は通常のカメラにおける「画素」に対応し、マイクロレンズの数は通常のカメラにおける「画素数」に対応している。マイクロレンズアレイ１２の各マイクロレンズは、光学系１１を通過した光を受光し、イメージセンサ１３に集光する。【００１８】
イメージセンサ１３は、マイクロレンズアレイ１２により集光された光を受光し、これを電子情報に変換して撮像画像を得る撮像素子である。イメージセンサ１３は、マイクロレンズアレイ１２の各々のマイクロレンズに対応するｎ個の分割撮像領域から構成されている。マイクロレンズアレイ１２の各々のマイクロレンズに入射した光は、イメージセンサ１３の対応する分割撮像領域で受光される。異なるマイクロレンズに入射した光は、夫々異なる分割撮像領域で受光され、受光される分割撮像領域が重複しないように構成されている。【００１９】
図２は、物体Ｘの一点（物体点Ｐと称する）からの光がイメージセンサ１３で受光される様子を模式的に示す図である。物体点Ｐからの光は、第１のレンズＬ１、瞳ＥＹＥ及び第２のレンズＬ２上の異なる領域を通って、マイクロレンズアレイ１２のマイクロレンズＭＬ２に入射し、分割撮像領域Ｒ２で受光される。この物体点Ｐの像の輝度値は、分割撮像領域Ｒ２内における全画素の輝度値の総和で表される。従って、各分割撮像領域における全画素の輝度値の総和を取得することにより、マイクロレンズの位置にイメージセンサを配した通常のカメラで撮像した画像と同一の撮像結果（撮像画像）が得られる。【００２０】
図３は、光学系１１の瞳ＥＹＥ上の一点からの光がイメージセンサ１３で受光される様子を模式的に示す図である。瞳ＥＹＥ上の一点からの光（すなわち、瞳ＥＹＥ上の一点に入射した光）は、第２のレンズＬ２の異なる領域及びマイクロレンズアレイ１２の異なるマイクロレンズを通って、イメージセンサ１３の各々の分割撮像領域における同じ箇所に集光する。【００２１】
再び図１を参照すると、画像処理部１５は、例えばＣＰＵ（Central Processing Unit）等から構成され、イメージセンサ１３により取得された物体Ｘの画像に対して画像補正処理を行う。具体的には、画像処理部１５は、事前撮影により得られたイメージセンサ１３の各分割撮像領域における輝度分布に応じて画素領域を選択し、選択した画素領域の情報のみを用いて物体Ｘの撮像画像を構成する。事前撮影では、画像処理部１５は、例えば波長選択フィルタＦＦへの印加電圧を掃引しながらイメージセンサ１３により受光された信号をメモリ等の記憶部（図示せず）に記録し、記録された複数の信号情報に基づいて波長選択フィルタＦＦの透過波長の不均一性（すなわち、反射面のギャップｄの不均一性）を示す輝度分布を得る。すなわち、画像処理部１５は、波長選択フィルタＦＦの透過波長の不均一性を検出する検出部としての機能を有する。【００２２】
イメージセンサ１３の分割撮像領域内の輝度分布は、マイクロレンズアレイ１２の対応するマイクロレンズに入射した光が瞳を通過する際にどのような輝度分布であったかを表すものである。従って、あるマイクロレンズに入射した光の輝度値を対応する分割撮像領域の特定の画素領域の和として算出すれば、瞳の特定の領域（分割撮像領域内の画素領域に対応する領域）を通過して受光した光の強度が得られる。さらに、全てのマイクロレンズの輝度値を対応する分割撮像領域の同じ画素領域の和として算出すれば、瞳の特定の領域を通過した光による画像が得られる。これにより、例えば光学系１１の瞳に所定の形状を有する物理的な開口部を配置した場合と同様の画像が得られる。【００２３】
図４は、ハート形の形状を有する物理的な開口部ＡＰを光学系の瞳位置に配置した場合の例を示す図である。イメージセンサ１３の各分割撮像領域では、ハート形の形状（すなわち、開口部ＡＰの形状）の上下を反転させた画像が得られる。【００２４】
これに対し、本実施例の分光カメラ１０では、選択した画素領域のみを用いて輝度値を計算することにより、図５に示すように、光学系１１の瞳に物理的な開口部（図では、ハート形の開口部）を配置した場合と同様の画像（図では、ハート形の上下を反転させた画像）を、物理的な開口部を配置することなく得ることができる。【００２５】
ところで、波長選択フィルタＦＦを構成するファブリペロー型干渉フィルタは、一組の平行な反射膜で構成される干渉フィルタであり、その反射面間のギャップを変化させることにより、透過する光の波長が変化する。反射面の反射率をＲ、反射面間のギャップをｈ0、入射光の波長をλとすると、ファブリペローフィルタの透過率Ｔ（λ）は、次の式（１）で表される。【００２６】
【数１】
2018143340.tif 000003
Ｒ＝１の反射面では、λ＝２ｈ0のときにだけ値を持ち、他の波長は通過させない完全な単色フィルタとなる。しかし、実際にはＲ＜１となるため、λ＝２ｈ0を中心波長としたある範囲の波長を通過させることとなる。その半値幅ＦＷＨＭ（Full Width at Half Maximum）は、次の式（２）で表される。Ｒ→１の極限では、ＦＷＨＭ→０となる。【００２７】
【数２】
2018143340.tif 000004
Ｒ→１の極限では、ＦＷＨＭ→０となる。しかし、反射率Ｒが１であるとしても、実際に作成されるファブリペローフィルタでは反射面間のギャップが不均一であるため、透過光は完全な単色とはならない。【００２８】
図６（ａ）及び（ｂ）は、透過光の強度及び半値幅について、反射面間のギャップがほぼ均一である理想的な場合と端部付近においてギャップが不均一である場合とを比較して示す図である。【００２９】
図６（ａ）に示すように、フィルタの反射面内の全ての領域でギャップが均一な値（ｄ＝ｈ0）となっているときには、反射面内の全ての箇所における透過光の波長は２ｈ0であり、半値幅はほぼ０となる。【００３０】
これに対し、図６（ｂ）に示すように、ギャップが不均一である場合には、ｄ≠ｈ0である領域ではλ＝２ｈ0以外の波長の光が透過することになり、半値幅は広くなる。【００３１】
このような半値幅の広がりを改善するためには、一般的にフィルタの直前又は直後に開口絞りを配置することが考えられる。例えば、図７（ａ）に示すように、フィルタの直前に開口絞りを配置することにより、光軸周辺のギャップが均一な領域のみに光を透過させ、半値幅を改善することができる。しかし、かかる方法では半値幅を改善することはできるものの、透過光の光量が小さくなってしまう。【００３２】
また、反射面間のギャップが光軸に対して非対称な不均一性を有する場合、図７（ｂ）のように光軸に対して対称な開口絞りを配置すると透過光の光量がさらに小さくなるため、図７（ｃ）に示すように、ギャップの不均一性に応じた開口絞りを配置する必要がある。しかし、実際にはどの部分が不均一なのかがフィルタによって様々であるため、適切な開口絞りを配置することは困難である。【００３３】
これに対し、本実施例の分光カメラ１０では、イメージセンサ１３の各分割撮像領域における特定の画素領域のみを選択的に用いることにより画像を構成することが可能である。従って、物理的な開口絞りを設けることなく、波長選択フィルタＦＦの反射膜ＲＦ１及びＲＦ２の間隔が均一な領域を通過した光のみを用いた画像を得ることができる。【００３４】
次に、本実施例の分光カメラ１０による撮像及び画素領域の選択方法について説明する。まず、被写体の撮影（実撮影）を行う前の事前撮影について、図８のフローチャート及び図９を参照して説明する。【００３５】
事前撮影では、図９に示すように、レーザＬＲから出射された単一の波長λ1の光を、レンズＬ３を介してスクリーンＳＣに照射する（ステップＳ１０１）。【００３６】
分光カメラ１０は、波長選択フィルタＦＦに印加する電圧Ｖを掃引しながら、スクリーンＳＣの撮影を行う。画像処理部１５は、撮像素子であるイメージセンサ１３で受光された信号を記録する（ステップＳ１０２）。【００３７】
波長選択フィルタＦＦに印加する電圧Ｖを変化させることにより、反射膜ＲＦ１及びＲＦ２の間隔が変化する。波長λ1の光を最も多く通過させる間隔となったときに、イメージセンサ１３の各分割撮像領域の画像が最も明るくなる。このとき、分割撮像領域において得られた画像ＶＤにおいて輝度が高い領域は、対応する瞳上の領域が波長λ1の光を通過している領域であり、反射面間のギャップｄ（すなわち、反射膜ＲＦ１及びＲＦ２の間隔）が均一な領域を反映したものとなる。【００３８】
画像処理部１５は、記録された複数の信号情報に基づいて、波長選択フィルタの反射面間のギャップｄの不均一性（透過波長の不均一性）を反映した分割撮像領域の輝度分布を取得する（ステップＳ１０３）。【００３９】
なお、画素領域選択のための事前撮影を行う際には、単一波長のレーザ光で照明されたスクリーンＳＣを用いる代わりに、太陽光やハロゲン光などで照明されたスクリーンＳＣを波長λ1の光を通過するバンドパスフィルタを通して撮影しても良い。【００４０】
例えば、図１０に示すように、事前撮影時には入射側から見て光学系１１の手前（すなわち、第１のレンズＬ１の手前）の光路上の位置に波長λ1の光を透過するバンドパスフィルタＢＰＦを配置して照明光ＷＬを照射して撮影を行い、実撮影時にはバンドパスフィルタＢＰＦを外して撮影を行う。これにより、波長選択フィルタＦＦの反射面間のギャップに応じた輝度の分布を示す画素領域の情報を取得し、輝度が高い画素領域のみを用いて画像を構成することが出来る。また、図１１に示すように、波長選択フィルタの手前の光路上の位置にバンドパスフィルタＢＰＦを配置して事前撮影を行っても良い。すなわち、バンドパスフィルタＢＰＦは光路上に配置されていれば良い。【００４１】
次に、被写体の撮影を行う実撮影について、図１２のフローチャートを参照して説明する。【００４２】
まず、被写体（物体Ｘ）に対して分光カメラ１０をセットする（ステップＳ２０１）。分光カメラ１０は、波長選択フィルタＦＦに印加する電圧Ｖを掃引しながら、物体Ｘの撮影を行う（ステップＳ２０２）。その際、事前撮影とは異なり、単一波長の光ではなく太陽光や白色光等の照明光を用いて被写体の撮影を行う。そして、画像処理部１５は、撮像素子であるイメージセンサ１３において受光された信号を記録する。【００４３】
画像処理部１５は、事前撮影により得られた波長選択フィルタの反射面間のギャップｄの不均一性を示す情報（すなわち、分割撮像領域内の輝度分布の情報）に基づいて、実撮影において反射面間のギャップｄが均一な領域を通過した光を受光して得られた第１の画像情報と、不均一な領域を通過した光を受光して得られた第２の画像情報とを算出する（ステップＳ２０３）。画像処理部１５は、第１の画像情報及び第２の画像情報に基づいて、最終的な撮像画像を得る（ステップＳ２０４）。【００４４】
以上のように、本実施例の分光カメラ１０によれば、事前撮影において波長選択フィルタＦＦの反射面間のギャップｄに応じた輝度の分布を示す画像情報を取得し、事前撮影において輝度値が高かった画素領域のみを選択的に用いることにより、波長選択フィルタＦＦの反射面間のギャップｄが均一な領域を通過した光のみを用いて構成された撮像画像を得ることができる。従って、フィルタにおいて透過波長が不均一な領域が存在するような場合においても、高精度の画像を取得することが可能となる。
【実施例２】
【００４５】
図１３は、実施例２に係る分光カメラ２０の構成を示す断面図である。本実施例の分光カメラ２０は、マイクロレンズアレイ１２を構成するマイクロレンズのうちの１つの出射側表面にバンドパスフィルタＢＰＦが固定して設けられている点で、実施例１の分光カメラ１０と異なる。【００４６】
マイクロレンズアレイ１２の端部に位置するマイクロレンズＭＬ１の出射側の表面（すなわち、イメージセンサ１３側の表面）には、透過波長λ1（通過帯域の中心波長がλ1）のバンドパスフィルタＢＰＦが設けられている。マイクロレンズＭＬ１は画素選択用のマイクロレンズとして機能し、その他のマイクロレンズは撮像用のマイクロレンズとして機能する。【００４７】
イメージセンサ１３は、マイクロレンズアレイ１２のマイクロレンズＭＬ１に対応する分割撮像領域Ｒ１を有する。分割撮像領域Ｒ１は、マイクロレンズＭＬ１に対応する位置（例えばイメージセンサの端部）に設けられている。分割撮像領域Ｒ１は画素選択用の分割撮像領域として機能し、その他の分割撮像領域は撮像用の分割撮像領域として機能する。【００４８】
物体Ｘの撮影時において、マイクロレンズＭＬ１に入射した光のうち波長λ1の光のみが、バンドパスフィルタＢＰＦを通ってイメージセンサ１３の分割撮像領域Ｒ１で受光される。従って、分割撮像領域Ｒ１では、波長選択フィルタＦＦの反射面間のギャップｄを反映した輝度分布を有する画素選択用の画像ＶＤが取得される。【００４９】
一方、マイクロレンズアレイ１２のマイクロレンズＭＬ１以外の領域を通過した光は、バンドパスフィルタＢＰＦを通らずに、イメージセンサ１３のその他の分割撮像領域で受光される。従って、イメージセンサ１３の分割撮像領域Ｒ１以外の分割撮像領域では、物体Ｘを撮影した通常の撮像画像が得られる。【００５０】
画像処理部１５は、分割撮像領域Ｒ１において得られた画素選択用の画像ＶＤの画像情報に基づいて、分割撮像領域Ｒ１以外で得られた撮像画像に対して画像補正処理を行う。具体的には、画像処理部１５は、画素選択用の画像ＶＤに示される輝度分布に応じて画素領域を選択し、選択した画素領域のみを用いて物体Ｘの撮像画像を構成する。【００５１】
従って、本実施例の分光カメラ２０によれば、事前撮影及び実撮影という２つのステップで撮影を行う必要がある実施例１とは異なり、一度の撮影により、輝度が高い画素領域のみを用いた撮像画像を得ることが可能となる。【００５２】
なお、上記構成とは異なり、バンドパスフィルタＢＰＦを複数設けた構成としても良い。例えば、図１４に示すように、いずれも透過波長（通過帯域の中心波長）がλ1である２つのバンドパスフィルタＢＰＦをマイクロレンズアレイ１２の両端部のマイクロレンズの出射側の表面に設け、対応する２つの分割撮像領域（分割撮像領域Ｒ１及びＲｘ）を画素選択用の分割撮像領域とする。これにより、画素選択用の画像ＶＤが複数得られるため、画素選択を精度よく行うことができる。【００５３】
また、図１５に示すように、透過波長が異なる複数のバンドパスフィルタＢＰＦ１（透過波長λ1）及びＢＰＦ２（透過波長λ2）を設けた構成としても良い。分割撮像領域Ｒ１における画素選択用の画像と、分割撮像領域Ｒｘにおける画素選択用の画像は、夫々異なる電圧Ｖを波長選択フィルタＦＦに印加した際に取得される。例えば、電圧Ｖ＝Ｖ1のときに分割撮像領域Ｒ１において画素選択用の画像ＶＤ１が得られ、電圧Ｖ＝Ｖ2のときに分割撮像領域Ｒｘにおいて画素選択用の画像ＶＤ２が得られる。この場合においても、複数の画素選択用の画像に基づいて画素の選択を行うことができるため、画素選択を精度よく行うことができる。【００５４】
また、半値幅が異なる複数のバンドパスフィルタを設けた構成としても良い。例えば、図１６（ａ）に示すように、透過波長の中心がλ1で且つ半値幅がＷ1であるバンドパスフィルタＢＰＦＡと、透過波長の中心がλ1で且つ半値幅がＷ2であるバンドパスフィルタＢＰＦＢとを、マイクロレンズアレイ１２の両端部のマイクロレンズの出射側の表面に設ける。半値幅Ｗ2＞半値幅Ｗ1とすると、図１６（ｂ）に示すように、半値幅の小さいバンドパスフィルタＢＰＦＡでは透過光の光量が小さく、半値幅の大きいバンドパスフィルタＢＰＦＢでは透過光の光量が大きくなる。従って、分割撮像領域Ａにおいて得られる画素選択用の画像ＶＤ１及び分割撮像領域Ｂにおいて得られる画素選択用の画像ＶＤ３に基づいて、半値幅優先の画素選択と透過光量優先の画素選択とを切り替えつつ行うことができる。【００５５】
なお、本発明の実施形態は、上記実施例１及び２で示したものに限られない。例えば、上記実施例では、ある電圧Ｖが波長選択フィルタＦＦに印加された状態において、イメージセンサ１３の分割撮像領域内で輝度値の高い画素領域を選択して画像処理を行う構成について説明した。例えば、ある単色光を入射させたときに図９のような画像が分割撮像領域で得られた場合、輝度の高い画素領域（図中、白で表される領域）の画素のみを有効画素とし、その他の領域（図中、グレー及び黒で表される領域）の画素の情報は捨てるという判断をしていた。しかし、波長選択フィルタＦＦに印加する電圧を変化させることにより輝度の高い画素領域は変化するため、複数の電圧における情報を加算して画像情報を得る構成としても良い。【００５６】
例えば、波長選択フィルタＦＦに印加する電圧（以下、印加電圧と称する）をＶ＝Ｖ１の前後で変化させ、印加電圧Ｖ1のときにグレーで表されていた画素領域の輝度値が印加電圧Ｖ2において最大となり、印加電圧Ｖ1の時に黒で表されていた画素領域の輝度値が印加電圧Ｖ3において最大となったとする。この場合、夫々の電圧値における画素領域の情報を加算して、対応するマイクロレンズの輝度値を算出することにより、波長選択フィルタＦＦの全面の情報から波長λ1の画像を得ることができ、光量のロスをさらに減らすことができる。このように１つの波長の画像情報を得るために、複数の印加電圧とその印加電圧に対応した分割撮像領域内のピクセル（画素領域）を使用することにより、光利用効率を最大限確保しつつ、半値幅を改善することが可能となる。【００５７】
また、印加電圧Ｖ1のときのグレーの領域は別の波長λ2の情報であり、黒の領域はさらに別の波長λ3の情報であるとも言えるため、印加電圧ごとに複数波長の情報を取得することが可能である。従って、印加電圧Ｖを掃引しながらこれらの情報をメモリ（図示せず）等に保持しておき、最後に同じ波長の情報の加算を行うことで各マイクロレンズの輝度値を算出することにより、同様の結果を得ることが出来る。【００５８】
なお、本発明において波長選択フィルタＦＦは光学系１１の瞳部分に配置されるため、瞳におけるある座標を通過した光はマイクロレンズアレイ１２の全てのマイクロレンズに一様に入射する。従って、波長選択フィルタＦＦの反射面間のギャップｄに不均一な部分（むら）がある場合には、フィルタのどこを通過した光がマイクロレンズアレイ１２に入射するかは時刻により変化するが、各マイクロレンズに光が入射するタイミングは揃っているので、イメージセンサ１３において得られる画像にむらは生じない。また、フィルタ上に汚れや欠陥部分があった場合には、汚れや欠陥の面積分だけ輝度が低下するものの、イメージセンサ１３において得られる画像に画素の欠陥は生じない。【００５９】
また、本発明の分光カメラによれば、波長選択フィルタにごみ等が付着していた場合でも、これを避けて被写体を撮影することが可能である。例えば、図１７に示すように、波長選択フィルタＦＦにごみＧＢが付着していた場合、白色光等の照明光ＷＬで照明されたスクリーンＳＣを撮影すると、イメージセンサ１３の全ての分割撮像領域にごみＧＢが映り込むことになる。そこで、ごみＧＢが映り込む領域を避けて画素領域を選択することにより、ごみＧＢを避けつつ撮影を行うことが可能となる。また、ごみ以外にも、汚れや傷など、その場所を予測できない異物に対しても対応することが可能である。【００６０】
また、上記実施例では、分光カメラ１０及び２０がｎ個のマイクロレンズが縦横に配列されたマイクロレンズアレイ１２を有する例について説明した。しかし、レンズの種類及び配列はこれに限られず、分光カメラはｎ個のレンズを有するレンズアレイを有していれば良い。【００６１】
また、上記実施例２ではバンドパスフィルタがマイクロレンズの出射面側の表面に設けられている例について説明したが、バンドパスフィルタが配置される位置はこれに限られず、マイクロレンズに集光する光の光路上に配置されていれば良い。また、両端部のマイクロレンズに限らずｎ個のマイクロレンズのいずれかに対応した位置に配置されていれば良い。【００６２】
また、上記各実施例で説明した一連の処理は、例えばＲＯＭなどの記録媒体に格納されたプログラムに従ったコンピュータ処理により行うことができる。
【符号の説明】
【００６３】
１０，２０  分光カメラ
１１  光学系
１２  マイクロレンズアレイ
１３  イメージセンサ
１４  カメラ
１５  画像処理部
【図１】
2018143340.tif 000005
【図２】
2018143340.tif 000006
【図３】
2018143340.tif 000007
【図４】
2018143340.tif 000008
【図５】
2018143340.tif 000009
【図６】
2018143340.tif 000010
【図７】
2018143340.tif 000011
【図８】
2018143340.tif 000012
【図９】
2018143340.tif 000013
【図１０】
2018143340.tif 000014
【図１１】
2018143340.tif 000015
【図１２】
2018143340.tif 000016
【図１３】
2018143340.tif 000017
【図１４】
2018143340.tif 000018
【図１５】
2018143340.tif 000019
【図１６】
2018143340.tif 000020
【図１７】
2018143340.tif 000021
【国際調査報告】
2018143340.tif 000022
2018143340.tif 000023
2018143340.tif 000024